(57)【要約】ドラム及び／又は他の対象物を把持し持上げる持上把持具が、持上点から放射状に延びる２以上の持上アームを有する持上点と各々がリム係合手段を有するアームとを組合わせて具え、少なくとも１のアームが係合及び非係合位置間で連結されるよう構成された連結式アームで、使用時に、対象物又はドラムリムに非連結式アームの係合手段を始めに取付けてドラム又は他の対象物を把持可能で、その後、少なくとも１の連結式アームを対象物又はリムに取付けるためにリム係合位置に移動させ、持上点に押上又は持上力を加えると、全ての持上アームのリム係合手段が対象物又はドラムリムを強く把持し、持上力を解放すると、少なくとも１の連結式アームがリムから初めに解放され非連結式アームの把持も同様に緩み、ドラム又は対象物を把持具から解放し得る。ドラムの閉鎖端を持上げるために連結式アームに付属する付勢手段を有し、ドラムリムにドラム把持具をさらに固定する。【選択図】図１
2010500256.tif 000002
【特許請求の範囲】
【請求項１】
対象物を把持して持ち上げるための持ち上げ把持具であって、
持ち上げポイントから放射状に延びる２又はそれ以上の持ち上げアームを有する持ち上げポイントと、
それぞれが係合手段を有する前記アームと、を組み合わせて具えており、
少なくとも１のアームが、係合位置と非係合位置との間で連結されるよう構成された連結式アームであり、
使用時に、前記対象物に前記非連結式アームの前記係合手段を始めに取り付けることによって前記対象物を把持することができ、
その後で、前記少なくとも１の連結式アームを前記対象物に取り付けるために前記係合位置に移動させ、
前記持ち上げポイントに押し上げ又は持ち上げ力を加えることにより、全ての持ち上げアームの前記係合手段が前記対象物を強く把持し、
前記持ち上げ力を解放すると、初めに前記少なくとも１の連結式アームが前記対象物から解放されることにより前記非連結式アームの把持も同様に緩み、前記対象物を前記把持から解放し得ることを特徴とする持ち上げ把持具。
【請求項２】
ドラムを把持して持ち上げるためのドラム把持具であって、
持ち上げポイントから放射状に延びる２又はそれ以上の持ち上げアームを有する持ち上げポイントと、
それぞれがドラムリム係合手段を有する前記アームと、を組み合わせて具えており、
少なくとも１のアームが、ドラムリム係合位置とドラムリム非係合位置との間で連結されるよう構成された連結式アームであり、
使用時に、前記ドラムの前記リムに前記非連結式アームの前記リム係合手段を始めに取り付けることによってドラムを把持することができ、
その後で、前記少なくとも１の連結式アームを前記ドラムに取り付けるために前記リム係合位置に移動させ、
前記持ち上げポイントに押し上げ又は持ち上げ力を加えることにより、全ての持ち上げアームの前記リム係合手段が前記ドラムのリムを強く把持し、
前記持ち上げ力を解放すると、初めに前記少なくとも１の連結式アームが前記リムから解放されることにより前記非連結式アームの把持も同様に緩み、前記ドラムを前記把持から解放し得ることを特徴とするドラム把持具。
【請求項３】
前記ドラム把持具が閉鎖端を有するドラム用に使用され、
前記少なくとも１の連結式アームは、当該連結式アームが前記ドラムのリムに係合すると付勢手段によって前記リム係合位置に保持されるよう付勢されることを特徴とする請求項２に記載のドラム把持具。
【請求項４】
前記付勢手段が、前記連結式アームが前記ドラムのリムに係合すると前記閉鎖端に対して圧縮力を加え、前記ドラム把持具が、前記持ち上げ力が無いにも拘わらず前記圧縮力によって前記ドラムに保持され、前記付勢手段の力に抗して押すことにより、全ての前記アームを解放して前記ドラムから前記把持具を外し得ることを特徴とする請求項３に記載のドラム把持具。
【請求項５】
前記ドラムの前記閉鎖端と接触する前記付勢手段の部分が、前記閉鎖端の表面に対して高い摩擦係数を有することにより、取り扱い又は持ち上げ動作の際に前記ドラムから前記把持具を外れ易くする不慮の移動又は力にも拘わらず、前記アームが前記リムから偶然に外れる可能性を減らすことを特徴とする請求項４に記載のドラム把持具。
【請求項６】
前記付勢手段が、前記連結式アームが前記ドラムのリムに係合すると前記ドラムの前記閉鎖端に押し付けられる、前記連結式アームに付属した圧縮バネであることを特徴とする請求項４又は５に記載のドラム把持具。
【請求項７】
前記付勢手段は、前記ドラムの前記閉鎖端と前記連結式アームとの間で圧縮されるよう構成された、前記連結式アームに付属した帯状又は板状のバネにすることが可能であることを特徴とする請求項４又は５に記載のドラム把持具。
【請求項８】
前記付勢手段が、前記ドラムの前記閉鎖端と前記連結式アームとの間で圧縮されるよう構成された、前記連結式アームに付属するゴムのストラップ又は他の弾力性のある材質の輪であることを特徴とする請求項４又は５に記載のドラム把持具。
【請求項９】
前記持ち上げポイントが、前記持ち上げアームに対して旋回又は回転するよう構成された、略中央に位置決めされる持ち上げ孔又はフックであることを特徴とする請求項１乃至８のいずれか１項に記載のドラム又は持ち上げ把持具。
【請求項１０】
さらに、前記持ち上げポイントが、前記アームが取り付けられる突起部又は突出部（ｓｔｕｂ）を有するヨークを具えていることを特徴とする請求項１乃至９のいずれか１項に記載のドラム又は持ち上げ把持具。
【請求項１１】
前記持ち上げアームが前記ヨークに取り外し可能に取り付けられており、１又はそれ以上のアームを交換し易くしていることを特徴とする請求項１０に記載のドラム又は持ち上げ把持具。
【請求項１２】
前記持ち上げアームが、前記突出部又は突起部の孔及び前記持ち上げアームの孔に貫通する取り外し可能なピン又はボルトによって前記ヨークに取り付けられていることを特徴とする請求項１１に記載のドラム把持具。
【請求項１３】
前記リム係合手段が、下に曲がって前記ドラムのリムに係合するよう構成された湾曲部材であることを特徴とする請求項２に記載のドラム把持具。
【請求項１４】
前記リム係合手段が前記アームから取り外し可能であり、ドラム以外の対象物の把持及び／又は持ち上げのために、他のタイプの係合手段に交換し得ることを特徴とする請求項２に記載のドラム把持具。
【請求項１５】
添付図面を参照して実質的に本願明細書に記載されたドラム又は持ち上げ把持具。
【発明の詳細な説明】
【技術分野】
【０００１】
本発明は、取り扱い及び持ち上げ器具に関し、特に、通常２００リットル又は４４ガロンのドラムと称される円筒形のドラムを扱って持ち上げるための持ち上げ把持具に関するが、これに限定されない。
【背景技術】
【０００２】
４４ガロン又は２００リットルのドラム又は対象物を持ち上げるために使用する周縁リムを有する他の対象物の持ち上げは、高価且つ専用の持ち上げ装置に投資をする必要がある農場経営者、トラック運転手及び輸送会社に頭痛の種を与える。
【０００３】
このような適用に現在のところ利用可能な従来技術の装置は、高価なだけではなく一般に持ち運びできない特別に設計された持ち上げ器具とともに使用するよう構成されている。その一方で、持ち運び可能で安い装置があるが、これらには、負荷に対して自動センタリング式又は自動ロック式ではなくアクセススペースが限られている場合に負荷を取り付けるのが難しいといった、特有の安全性の問題がある。
【０００４】
ドラムを持ち上げるよう特別に構成された装置の従来技術の例は、油圧駆動又は電気駆動し特殊なタイプの持ち上げ器具とともにのみ使用できる柔軟性のあるストラップ又は固い棒を用いてドラムの縁部を把持する装置を含んでいる。
【０００５】
一般的水準で、このようなタイプのシステム又は装置の欠点は、高価で、持ち運びができず、把持力を与えるのに通常油圧駆動又は電気駆動を要し又は手動レバー動作を使用するため、迅速に又は効率的に設置又は解除するのが容易ではないことである。
【０００６】
また、油圧又は電気駆動モデルは、全てのタイプの持ち上げ装置とともに使用するよう構成できず、ドラムに近付くのが制限されている場合又は横倒しになっているときに使用できない。
【０００７】
従来技術の別の例は、ドラムの側面に圧力を加えるハサミ又は梃子の動作とともにドラムの上部の近くの２箇所の対向位置でドラムを把持するクランプを含んでいる。このような例の欠点は、ドラムが持ち上がる際にドラムの重量を均一に分散せず、これによりドラムが変形及び／又は損傷する可能性があることである。また、このような装置は、自己センタリング式ではなく、適切にセンタリングされていない場合、ドラムが把持具から滑って持ち上げられている高さから落下する危険がある。
【０００８】
さらに、梃子又はハサミの動作を行う器具のヒンジが、作業に没頭する作業者の手を傷付ける可能性がある。また、ヒンジにより構造的に脆弱になり、ドラムが落下する危険性が増し定期的なメンテナンスを要する。
【０００９】
従来技術のさらなる例は、フックが付いた端部を具えた垂下する３本の固い棒のセットを具える装置を含んでいる。このようなタイプの装置は、自己ロック式ではなく、ドラムが横倒しになっている場合、又はドラムが傾いている場合にも使用できない。ドラムが持ち上げられている間、ドラム又は持ち上げ装置が揺れる場合、ドラムが装置から落ちる可能性が高い。
【００１０】
最後の例として、フォークリフトで使用するため又は突起部に取り付けられるチェーンを介して使用するため、ドラムに予め溶接された突起又は棒を具えた装置がある。ドラムを把持するこのような方法は、予め溶接された突起部を具えるドラムのみを持ち上げるものである。これは、このような方法を使用して他のタイプのドラムを持ち上げることができないため、商売上の大きな不利益をもたらす。
【発明の概要】
【発明が解決しようとする課題】
【００１１】
このため、本発明の目的は、本書で述べた従来技術の欠点を改善又は克服することを目指す持ち上げ装置を提供することであり、少なくとも代替的及び有用な選択肢を公に提供することである。
【課題を解決するための手段】
【００１２】
一態様では、本発明は、対象物を把持して持ち上げるための持ち上げ把持具であって、持ち上げポイントから放射状に延びる２又はそれ以上の持ち上げアームを有する持ち上げポイントと、それぞれが係合手段を有するアームと、を組み合わせて具えており、少なくとも１のアームが、係合位置と非係合位置との間で連結されるよう構成された連結式アームであり、使用時に、対象物に非連結式アームの係合手段を始めに取り付けることによって対象物を把持することができ、その後で、少なくとも１の連結式アームを対象物に取り付けるために係合位置に移動させて、持ち上げポイントに押し上げ又は持ち上げ力を加えると、全ての持ち上げアームの係合手段が対象物を強く把持し、持ち上げ力を解放すると、少なくとも１の連結式アームが対象物から初めに解放されることにより非連結式アームの把持も同様に緩み、対象物を把持から解放し得る。
【００１３】
別の態様では、本発明は、ドラムを把持して持ち上げるためのドラム把持具であって、持ち上げポイントから放射状に延びる２又はそれ以上の持ち上げアームを有する持ち上げポイントと、それぞれがドラムリム係合手段を有するアームと、を組み合わせて具えており、少なくとも１のアームが、ドラムリム係合位置とドラムリム非係合位置との間で連結されるよう構成された連結式アームであり、使用時に、ドラムのリムに非連結式アームのリム係合手段を始めに取り付けることによってドラムを把持することができ、その後で、少なくとも１の連結式アームをドラムに取り付けるためにリム係合位置に移動させて、持ち上げポイントに押し上げ又は持ち上げ力を加えると、全ての持ち上げアームのリム係合手段がドラムのリムを強く把持し、持ち上げ力を解放すると、少なくとも１の連結式アームがリムから初めに解放されることにより非連結式アームの把持も同様に緩み、ドラムを把持から解放し得る。
【００１４】
好適には、ドラム把持具が閉鎖端を有するドラム用に使用され、少なくとも１の連結式アームが、連結式アームがドラムのリムに係合すると付勢手段によってリム係合位置に保持されるよう付勢される。
【００１５】
好適には、付勢手段が、連結式アームがドラムのリムと係合すると閉鎖端に対して圧縮力を加え、ドラム把持具が、持ち上げ力が無いにも拘わらず圧縮力によってドラムに保持され、付勢手段の力に抗して押すことにより、全てのアームを解放してドラムから把持具を外し得る。
【００１６】
好適には、ドラムの閉鎖端と接触する付勢手段の部分が、閉鎖端の表面に対して高い摩擦係数を有することにより、取り扱い又は持ち上げ動作の際にドラムから把持具を外れ易くする不慮の移動又は力にも拘わらず、アームがリムから偶然に外れる可能性を減らす。
【００１７】
好適には、付勢手段が、連結式アームがドラムのリムに係合するとドラムの閉鎖端に押し付けられる、連結式アームに付属した圧縮バネである。
【００１８】
代替的には、付勢手段が、ドラムの閉鎖端と連結式アームとの間で圧縮されるよう構成された、連結式アームに付属した帯状又は板状のバネである。
【００１９】
より好適には、付勢手段が、ドラムの閉鎖端と連結式アームとの間で圧縮されるよう構成された、連結式アームに付属するゴムのストラップ又は他の弾力性のある材質の輪である。
【００２０】
好適には、持ち上げポイントが、持ち上げアームに対して旋回又は回転するよう構成された、略中央に位置決めされる持ち上げ孔又はフックである。
【００２１】
より好適には、持ち上げポイントが、さらに、アームが取り付けられる突起部又は突出部（ｓｔｕｂ）を有するヨークを具えている。
【００２２】
好適には、アームが、１又はそれ以上のワッシャ（ｓｕｒｃｌｉｐ）とともに固定される、放射状の突起部又は突出部（ｓｔｕｂ）及びアームの孔を貫通するピンによって取り付けられている。連結式アームのケースでは、１本のピンだけを使用してアームを回動させ得る。
【００２３】
好適には、リム係合手段が、下方に曲がってドラムのリムに係合する湾曲部材である。
【００２４】
別のバージョンでは、リム係合手段がアームに取り外し可能であり、ドラム以外の対象物を把持し及び／又は持ち上げるために、他のタイプの係合手段に交換し得る。
【図面の簡単な説明】
【００２５】
本発明をより理解して実施するために、ここで添付の図面を参照することとする。
【００２６】
【図１】図１は、本発明の実施例１に係る好適なドラム把持具を示す。
【図２】図２は、ドラムに取り付けられた図１の発明を示す。
【図３】図３は、実施例２に係るドラム把持具の部品の組み立て図を示す。
【図４】図４は、実施例２に係るドラム把持具の部品の分解図を示す。
【発明を実施するための形態】
【実施例１】
【００２７】
ここで始めに図１を参照すると、実施例１に係る好適なドラム把持具１０を示す。ドラム把持具１０は、好適には放射状に延びる持ち上げアーム１４，１６，１８に対して３６０度旋回可能な持ち上げポイント１２を有している。このようなケースでは、３つのアームを有しており、そのうちの２つが非連結式アーム１４，１６で、他の１つが持ち上げポイント１２とドラムリム６３との間に連結点１８ａを有する連結式アーム１８である。
【００２８】
各アームの端部に、ドラム（図示せず）のリムの下方で曲がるよう構成された湾曲した部材の形式の解放可能なリム係合手段２０，２２，２４が設けられている。連結式アーム１８は、矢印１９で示すように、リム係合手段がドラムのリムに係合するリム係合位置１９ａと、他の２つのアーム１４，１６を解除するためのリム非係合位置１９ｂとの間で、連結され得る。ドラムは、初めに非連結式アーム１４，１６のリム係合手段２０，２２をドラムのリムに取り付けることによって把持され、持ち上げ孔１２に持ち上げ力を加えることで全てのアームがドラムを強く把持するように、その後で連結式アーム１８をリム係合位置に向けて下方に持って行く。持ち上げ力を除去してドラムを解放するためには、初めに連結式アーム１８をリムから外すことで非連結式アーム１４，１６の把持もまた緩み、把持具１８をドラム（図示せず）から外すことができる。
【００２９】
図２は、ドラム３０とともに使用した状態の図１のドラム把持具を示す。連結式アーム１８に付属する圧縮バネの形式の付勢手段２６を示している。連結式アームをリム係合位置に向けて下方に持ってくると、圧縮バネが連結式アームとドラム３０の閉鎖端３０ａとの間で圧縮される。バネの圧縮力が、ドラムが鉛直姿勢になくても適度な把持力が加わって把持具がドラムの上に留まり得るように、全てのアームに伝わる。ドラムが横倒しの場合に、圧縮バネによって加えられる力によって、ドラムを鉛直又は立った姿勢で持ち上げることができるように、ドラム把持具をドラムに対して位置決めできることが、当業者にとって明らかである。
【００３０】
以上において説明したように、好適には圧縮バネ２６又は付勢手段の端部２６ａは、ドラムが偶然に動いた場合又はドラム把持具にドラムから把持具が外れ易くなるような力が加わった場合に、バネが滑らないよう又はその張力を失わないように、閉鎖端３０ａの面に対して高い摩擦係数を有している。好適には、圧縮バネの端部は、ドラムの閉鎖端の面との間に高い摩擦係数を有するゴム又は他の材質でできたフット部材２６ａを有している。上記のように代替例では、付勢手段が、ドラムの閉鎖端と連結式アームとの間で圧縮されるよう構成された、連結式アームに付属する帯状又は板状のバネである。
【００３１】
また、本発明の構成が、容易に持ち運べるのとともに、耐久性があり、安全で、自動ロック式で、自分でセンタリングを行うドラム把持具を提供することが、当業者にとって明らかである。本構成によれば、１人で動作させ得る本器具の品質を維持するのにほとんど又は全くメンテナンスを要さず、設置及び取り外しが迅速且つ簡単である。
【００３２】
本構成は、自由に旋回する持ち上げ孔又はフックを有しているため、ドラムの重量が本器具の任意の部分に集中しないよう、そしてドラムを変形させたり損傷させないように、ドラムが自由に回転し得る。
【００３３】
また、ドラムを持ち上げた際にドラムの重量が把持力の強化に寄与し、近付きにくかったり又はスペースが限られていたり、さらにはドラムが横倒しになっているような状況で本器具が有用であることが明らかである。
【００３４】
また、係合手段を変更することによって、丸太、トラクターのリム、運送用コンテナー、岩石、及び水槽、干し草の塊、自動車のボディ及びビールの樽を含む他の不整形な形状の対象物といった、他の負荷を持ち上げて把持するようドラム把持具を構成してもよいことが、当業者にとって明らかである。
【００３５】
これらのような他の対象物を持ち上げるようドラム把持具を構成するために、好適にはリム係合手段がアームから取り外し可能であり、リムを具えた円筒形のドラム以外の対象物を把持及び持ち上げるよう構成された他のタイプの係合手段に交換してもよい。
【実施例２】
【００３６】
図３及び図４は、実施例２に係るドラム把持具４０の組立図及び分解図である。
【００３７】
持ち上げアーム４６，４８，５０を間に取り付けるために分岐した突出部又は突起部４４ａ，４４ｂ，４４ｃ，４４ｄを有するヨーク４４を含む回転孔４２を中央の持ち上げ点が具えたドラム把持具を示す。非連結式アーム４６，４８が、突起部又は突出部及びアームの孔を貫通する１対のピン５２，５４によって突起部又は突出部に固定されている。ピン５２，５４は、サークリップ（ｓｕｒｃｌｉｐ）（図示せず）によって固定されている。このような構成により、必要に応じてアームを容易に交換し得る。
【００３８】
周りをアームが回動し得る１つの回動ピン５５によって突起部４４ａ，４４ｂに取り付けられた連結式アーム５０を示す。また、このアームは好適には、ドラムの蓋６２に対する付勢手段を与えるゴム又はネオプレンの環状ストリップ６０に延びる延長部５０ａを具えている。
【００３９】
回転孔４２は、菊ナット６４及びスプリットピン６６によってヨーク４４に結合されている。ゴム又はネオプレンのストリップ６０が、ボルト６８及びロックナット７０によって連結式アームの延長部に取り付けられている。連結式アームは、特別に構成した湾曲した又はフック状の端部５０ｂ，４６ａ，４８ａを具えており、ドラムのリム６３に係合する。
【００４０】
バリエーション
当然のことながら、本発明の具体例として上記の説明をしたが、当業者にとって明らかなこれら全て及びこれらに対する他の変更及びバリエーションは、ここで説明するように本発明の広義の範囲及び領域内にあると思われる。
【００４１】
本明細書及び特許請求の範囲にわたって、「具える（ｃｏｍｐｒｉｓｅ）」という用語及び「具える（ｃｏｍｐｒｉｓｅｓ）」「具えている（ｃｏｍｐｒｉｓｉｎｇ）」といったその用語のバリエーションは、他の付加物、部品、整数又はステップを排除することを意図するものではない。
【図１】
2010500256.tif 000003
【図２】
2010500256.tif 000004
【図３】
2010500256.tif 000005
【図４】
2010500256.tif 000006
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
対象物を把持して持ち上げるための持ち上げ把持具であって、
持ち上げポイントから放射状に延びる少なくとも３の持ち上げアームを有する持ち上げポイントと、
それぞれが負荷係合手段を有する前記アームと、を組み合わせて具えており、
１のアームが、係合位置と非係合位置との間で連結されるよう構成された連結式アームであり、
前記連結式アームが、前記係合位置に保持されるよう付勢手段によって付勢されており、
使用時に、前記対象物に前記非連結式アームの前記係合手段を始めに取り付けることによって前記対象物を把持することができ、
その後で、前記連結式アームを前記対象物に取り付けるために前記係合位置に移動させ、前記付勢手段が前記対象物と前記連結式アームとの間に伸長力を加えることにより、持ち上げ力が無いにも拘わらず前記持ち上げ把持具が前記対象物に保持され、
前記持ち上げポイントに押し上げ又は持ち上げ力を加えることにより、全ての持ち上げアームの前記係合手段が前記対象物を強く把持し、
前記持ち上げ力を解放すると、初めに前記連結式アームが前記対象物から解放されることにより前記非連結式アームの把持も同様に緩み、前記対象物を前記把持から解放することを特徴とする持ち上げ把持具。
【請求項２】
ドラムを把持して持ち上げるためのドラム把持具であって、
持ち上げポイントから放射状に延びる少なくとも３の持ち上げアームを有する持ち上げポイントと、
それぞれがドラムリム係合手段を有する前記アームと、を組み合わせて具えており、
１のアームが、リム係合位置とリム非係合位置との間で連結されるよう構成された連結式アームであり、
前記連結式アームが、前記係合位置に保持されるよう付勢手段によって付勢されており、
使用時に、前記ドラムの前記リムに前記非連結式アームの前記リム係合手段を始めに取り付けることによってドラムを把持することができ、
その後で、前記連結式アームを前記リムに取り付けるために前記リム係合位置に移動させ、前記付勢手段が前記対象物と前記連結式アームとの間に伸長力を加えることにより、持ち上げ力が無いにも拘わらず持ち上げ把持具が前記対象物に保持され、
前記持ち上げポイントに押し上げ又は持ち上げ力を加えることにより、全ての持ち上げアームの前記リム係合手段が前記ドラムのリムを強く把持し、
前記持ち上げ力を解放すると、初めに前記連結式アームが前記リムから解放されることにより前記非連結式アームの把持も同様に緩み、前記ドラムを前記把持から解放することを特徴とするドラム把持具。
【請求項３】
前記ドラム把持具が閉鎖端を有するドラム用に使用され、
前記連結式アームは、当該連結式アームが前記ドラムのリムに係合すると付勢手段によって前記リム係合位置に保持されるよう付勢されることを特徴とする請求項２に記載のドラム把持具。
【請求項４】
前記付勢手段が、前記連結式アームが前記ドラムのリムに係合すると前記閉鎖端に対して伸長力を加え、
前記ドラム把持具が、前記持ち上げ力が無いにも拘わらず前記伸長力によって前記ドラムに保持され、
前記付勢手段の力に抗して押すことにより、全ての前記アームを解放して前記ドラムから前記把持具を外し得ることを特徴とする請求項３に記載のドラム把持具。
【請求項５】
前記ドラムの前記閉鎖端と接触する前記付勢手段の部分が、前記閉鎖端の表面に対して高い摩擦係数を有することにより、
取り扱い又は持ち上げ動作の際に前記ドラムから前記把持具を外れ易くする不慮の移動又は力にも拘わらず、前記アームが前記リムから偶然に外れる可能性を減らすことを特徴とする請求項４に記載のドラム把持具。
【請求項６】
前記付勢手段が、前記連結式アームが前記ドラムのリムに係合すると前記ドラムの前記閉鎖端に押し付けられる、前記連結式アームに付属した圧縮バネであることを特徴とする請求項４又は５に記載のドラム把持具。
【請求項７】
前記付勢手段は、前記ドラムの前記閉鎖端と前記連結式アームとの間で圧縮されるよう構成された、前記連結式アームに付属した帯状又は板状のバネにすることが可能であることを特徴とする請求項４又は５に記載のドラム把持具。
【請求項８】
前記付勢手段が、前記ドラムの前記閉鎖端と前記連結式アームとの間で圧縮されるよう構成された、前記連結式アームに付属するゴムのストラップ又は他の弾力性のある材質の輪であることを特徴とする請求項４又は５に記載のドラム把持具。
【請求項９】
前記持ち上げポイントが、前記持ち上げアームに対して旋回又は回転するよう構成された、略中央に位置決めされる持ち上げ孔又はフックであることを特徴とする請求項１乃至８のいずれか１項に記載のドラム又は持ち上げ把持具。
【請求項１０】
さらに、前記持ち上げポイントが、前記アームが取り付けられる突起部又は突出部（ｓｔｕｂ）を有するヨークを具えていることを特徴とする請求項１乃至９のいずれか１項に記載のドラム又は持ち上げ把持具。
【請求項１１】
前記持ち上げアームが前記ヨークに取り外し可能に取り付けられており、１又はそれ以上のアームを交換し易くしていることを特徴とする請求項１０に記載のドラム又は持ち上げ把持具。
【請求項１２】
前記持ち上げアームが、前記突出部又は突起部の孔及び前記持ち上げアームの孔に貫通する取り外し可能なピン又はボルトによって前記ヨークに取り付けられていることを特徴とする請求項１１に記載のドラム把持具。
【請求項１３】
前記リム係合手段が、下に曲がって前記ドラムのリムに係合するよう構成された湾曲部材であることを特徴とする請求項２に記載のドラム把持具。
【請求項１４】
前記リム係合手段が前記アームから取り外し可能であり、
ドラム以外の対象物の把持及び／又は持ち上げのために、他のタイプの係合手段に交換し得ることを特徴とする請求項２に記載のドラム把持具。
【請求項１５】
添付図面を参照して実質的に本願明細書に記載されたドラム又は持ち上げ把持具。
【国際調査報告】
2010500256.tif 000007
2010500256.tif 000008
2010500256.tif 000009